(57)【要約】【課題】揺動選別機構を有効利用した合理的な改良を施すことで、選別精度の向上を図れるようにする。【解決手段】脱穀処理後の処理物を篩い選別する揺動選別機構８を備えた脱穀装置の選別構造おいて、揺動選別機構８に、単粒化した穀粒の漏下を許容する精選別用の第１多孔部３１と、その第１多孔部３１から漏下せずに移送された処理物を漏下させる第２多孔部３２とを備える第１多孔板３３を一体装備し、第１多孔板３３の下方に、第２多孔部３２から漏下した処理物を受け止めて揺動選別機構８と一体揺動する第１多孔板３３に摺接させる精選別用の第２多孔板３４を配備してある。【選択図】        図３
2005021036.tif 000002
【特許請求の範囲】
【請求項１】
脱穀処理後の処理物を篩い選別する揺動選別機構を備えた脱穀装置の選別構造であって、
前記揺動選別機構に、単粒化した穀粒の漏下を許容する精選別用の第１多孔部と、その第１多孔部から漏下せずに移送された処理物を漏下させる第２多孔部とを備える第１多孔板を一体装備し、該第１多孔板の下方に、前記第２多孔部から漏下した処理物を受け止めて前記揺動選別機構と一体揺動する前記第１多孔板に摺接させる精選別用の第２多孔板を配備してある脱穀装置の選別構造。
【請求項２】
前記第１多孔板及び前記第２多孔板を、前記揺動選別機構の選別始端部に配備してある請求項１に記載の脱穀装置の選別構造。
【請求項３】
前記揺動選別機構による選別後の２番物を該揺動選別機構に還元する２番還元機構を備え、前記第１多孔板及び前記第２多孔板を、前記揺動選別機構の２番還元部に配備してある請求項１又は２に記載の脱穀装置の選別構造。
【発明の詳細な説明】
【０００１】
【発明の属する技術分野】
本発明は、脱穀処理後の処理物を篩い選別する揺動選別機構を備えた脱穀装置の選別構造に関する。
【０００２】
【従来の技術】
従来、揺動選別機構は、その揺動による篩い選別で、脱穀処理後の処理物を、枝梗などが取り除かれて単粒化した穀粒と、枝梗などが付いたままの未単粒化穀粒と、枝梗やワラ屑などの塵埃とに選別し、単粒化した穀粒を、その選別始端側の下方に配備された１番回収部に１番物として漏下供給し、未単粒化穀粒に単粒化穀粒や塵埃が混入した混在物を、その選別終端側の下方に配備された２番回収部に２番物として漏下供給し、比重の軽い塵埃を、その選別終端まで移送して３番物として機外に排出するように構成されている。
【０００３】
【特許文献１】
特開２００１−９５３６２号公報（段落番号００１６−００１８、図１）
【０００４】
【発明が解決しようとする課題】
つまり、従来の揺動選別機構は、その揺動による篩い選別を行うだけであることから、例えば収穫する穀粒の種類や処理量などに起因して、未単粒化穀粒の含有率が高い処理物が供給されると、１番回収部に未単粒化穀粒が混入することがあり、選別精度の低下を招くようになる。
【０００５】
本発明の目的は、揺動選別機構を有効利用した合理的な改良を施すことで、選別精度の向上を図れるようにすることにある。
【０００６】
【課題を解決するための手段】
上記の課題を解決するための手段として、本発明では、脱穀処理後の処理物を篩い選別する揺動選別機構を備えた脱穀装置の選別構造において、前記揺動選別機構に、単粒化した穀粒の漏下を許容する精選別用の第１多孔部と、その第１多孔部から漏下せずに移送された処理物を漏下させる第２多孔部とを備える第１多孔板を一体装備し、該第１多孔板の下方に、前記第２多孔部から漏下した処理物を受け止めて前記揺動選別機構と一体揺動する前記第１多孔板に摺接させる精選別用の第２多孔板を配備してある。
【０００７】
このようにすると、揺動選別機構が揺動駆動される作業時には、第１多孔板上に供給された処理物のうち、脱穀処理によって枝梗などが取り除かれて単粒化した穀粒は第１多孔部から漏下し、枝梗などが付いたままの未単粒化穀粒は第１多孔部から漏下せずに第２多孔部から漏下し、第２多孔部から漏下した未単粒化穀粒は、第２多孔板で受け止められて第１多孔板と摺接し、その摺接によって枝梗などが取り除かれた後、第２多孔板から漏下する。
【０００８】
つまり、揺動選別機構の揺動駆動によって、脱穀処理物の篩い選別を行うだけでなく、第２多孔板上の未単粒化穀粒に対して第１多孔板との摺接による単粒化処理を施すことができ、これによって、揺動選別機構で選別される処理物での未単粒化穀粒の含有率が低下し、単粒化穀粒の含有率が上昇する。
【０００９】
又、脱穀処理によって既に単粒化している穀粒を第１多孔部から漏下させることで、その単粒化穀粒に第１多孔板が摺接することに起因した穀粒の損傷を回避できる。
【００１０】
従って、揺動選別機構を有効利用した合理的な改良を施すことで、穀粒の損傷による品質の低下を招くことなく、１番回収部への未単粒化穀粒の混入を効果的に抑制できるのであり、結果、品質の高い穀粒を精度良く回収できる選別精度の向上が図られたものにできる。
【００１１】
本発明をより好適なものにするための手段の一つとして、前記第１多孔板及び前記第２多孔板を、前記揺動選別機構の選別始端部に配備してある。
【００１２】
一般的に、脱穀装置においては、脱穀処理物のうちの穀粒含有率が高い処理物が揺動選別機構の選別始端側に供給され、揺動選別機構における選別始端側の下方には、単粒化穀粒を１番物として回収する一番回収部が配備されている。
【００１３】
そのため、上記のように第１多孔板及び第２多孔板を揺動選別機構の選別始端部に配備すると、揺動選別機構の選別始端部に供給される穀粒含有率の高い処理物のうち、脱穀処理によって既に単粒化している穀粒は、第１多孔部から揺動選別機構の選別始端部に漏下供給され、揺動選別機構の選別始端側から下方に漏下する。一方、未単粒化穀粒は、第１多孔板との摺接による単粒化処理が施され、その処理によって単粒化すると、第２多孔板から揺動選別機構の選別始端部に漏下供給され、揺動選別機構の選別始端側から下方に漏下する。
【００１４】
つまり、揺動選別機構の選別始端部に供給される穀粒含有率の高い処理物のうちの単粒化穀粒は、そのまま選別始端側下方の一番回収部に漏下供給でき、未単粒化穀粒は、選別始端部において単粒化処理を施して単粒化した後、選別始端側下方の一番回収部に漏下供給できることから、穀粒回収効率の向上を図れる。
【００１５】
本発明をより好適なものにするための手段の一つとして、前記揺動選別機構による選別後の２番物を該揺動選別機構に還元する２番還元機構を備え、前記第１多孔板及び前記第２多孔板を、前記揺動選別機構の２番還元部に配備してある。
【００１６】
このようにすると、２番還元機構で還元される２番物のうち、単粒化穀粒は、第１多孔部から揺動選別機構に漏下供給され、未単粒化穀粒は、第１多孔板との摺接による単粒化処理が施された後、第２多孔板から揺動選別機構に漏下供給される。
【００１７】
つまり、未単粒化穀粒に単粒化穀粒などが混入した２番物を、そのまま揺動選別機構に還元するのではなく、２番物から単粒化穀粒を選別し、その選別後の２番物における未単粒化穀粒に対して単粒化処理を施した後、揺動選別機構に還元することから、揺動選別機構による選別を高い精度で効率良く行える。
【００１８】
従って、選別精度及び選別効率の向上をより効果的に図れる。
【００１９】
【発明の実施の形態】
図１にはコンバインに搭載される脱穀装置の縦断側面が、図２にはその縦断正面が示されており、この脱穀装置は、その左側部に配備されたフィードチェーン１により横向き姿勢で挾持搬送される刈取穀稈の穂先側に対して脱穀処理を施す脱穀部２、脱穀部２からの脱穀処理後の処理物に対して選別処理を施す選別部３、及び、選別部３にて選別された処理物のうちの１番物と２番物とを回収する回収部４、などによって構成されている。
【００２０】
脱穀部２は、前後向きの軸心周りに回転駆動される扱胴５、扱胴５の下部に沿って敷設された受網６、及び、受網６の後方に形成された送塵口７、などによって構成され、扱胴５と受網６との間でフィードチェーン１によって挾持搬送される刈取穀稈から穀粒を分離して単粒化し、その単粒化した穀粒とともに枝梗付きの穀粒やワラ屑などを受網６から選別部３に向けて漏下させるとともに、受網６から漏下しなかった枝梗付きの穀粒やワラ屑などを送塵口７から選別部３に放出する。
【００２１】
選別部３は、受網６の下方に装備された揺動選別機構８、揺動選別機構８の前下方に配設された唐箕９、揺動選別機構８と唐箕９の間に配備された第１副唐箕１０、及び、揺動選別機構８の前後中間下方に配備された第２副唐箕１１、などによって構成され、揺動選別機構８が、その後部に配設された偏心式駆動機構１２の作動で揺動駆動されることで脱穀部２からの処理物に対して篩い選別を施し、唐箕９及び各副唐箕１０，１１が揺動選別機構８に向けて選別風を供給することで、揺動選別機構８にて篩い選別される処理物に対して風力選別を付加する。そして、これらの選別作動によって、脱穀部２からの処理物を、枝梗などが取り除かれて単粒化した穀粒と、枝梗などが付いたままの未単粒化穀粒と、枝梗やワラ屑などの塵埃とに選別する。
【００２２】
尚、図１に示す符号１３は、送塵口７から選別部３に放出された枝梗付きの未単粒化穀粒などにほぐし作用を付与する拡散胴であり、符号１４は、塵埃を吸引して３番物として機外に排出する排塵ファンである。
【００２３】
回収部４は、揺動選別機構８の選別始端側である前部側の下方に配備された１番回収部１５や、揺動選別機構８の選別終端側である後部側の下方に配備された２番回収部１６、などによって構成され、１番回収部１５は、選別部３で選別処理された処理物のうちの単粒化穀粒を１番物として回収し、その回収した１番物を、その底部に左右向きに配備された１番スクリュー１７によって、その右端に接続された図外の揚送コンベヤに向けて搬送する。２番回収部１６は、選別部３で選別処理された処理物のうちの未単粒化穀粒に単粒化穀粒や塵埃が混入した混在物を２番物として回収するとともに、その回収した２番物を、その底部に左右向きに配備された２番スクリュー１８によって、その右端に接続された２番還元機構１９に向けて搬送する。
【００２４】
ちなみに、揚送コンベヤは、１番スクリュー１７で搬送された１番物を揚送して、脱穀装置の右側方に並設された図外の穀粒タンクに供給し、２番還元機構１９は、２番スクリュー１４で搬送された２番物を揚送して揺動選別機構８に還元する。
【００２５】
図１〜４に示すように、揺動選別機構８は、受網６の前半部から漏下した処理物を受け止めて比重差選別しながら後方に向けて移送する第１グレンパン２０、第１グレンパン２０で移送された処理物や受網６の後半部から漏下した処理物などの中から穀粒などを粗選別して漏下させるとともに残りの処理物を後方に向けて移送するチャフシーブ２１、送塵口７から排出された処理物を受け止めて比重差選別しながら後方に向けて移送する補助グレンパン２２、補助グレンパン２２で移送された処理物の中から穀粒などを篩い選別して漏下させるとともに残りの処理物を後方に向けて移送する複数の篩線２３、チャフシーブ２１で移送された処理物などの中から未単粒化穀粒などを篩い選別して２番回収部１６に漏下させるとともに残りの処理物を後方に向けて移送して揺動選別機構８の後方に形成した排塵口２４から機外に排出するストローラック２５、チャフシーブ２１の前部側から漏下した処理物を受け止めて比重差選別しながら後方に向けて移送する第２グレンパン２６、及び、第２グレンパン２６で移送された処理物とチャフシーブ２１の後部側から漏下した処理物との中から単粒化穀粒を精選別して漏下させるとともに残りの処理物を後方に向けて移送するグレンシーブ２７、などによって構成されている。
【００２６】
２番還元機構１９は、２番スクリュー１４で搬送された２番物に対して枝梗付きの穀粒から枝梗を取り除くなどの単粒化処理を施す単粒化処理部２８や、その単粒化処理部２８による単粒化処理後の２番物を揚送して揺動選別機構８の２番還元部２９に向けて放てき還元する還元搬送部３０、などから構成されている。
【００２７】
揺動選別機構８は、その選別始端部に配備された第１グレンパン２０の右半部上方箇所に、単粒化した穀粒の漏下を許容する精選別用の第１多孔部３１と、その第１多孔部３１から漏下せずに移送された処理物を漏下させる第２多孔部３２とを備える第１多孔板３３が一体装備され、その第１多孔板配設箇所が、２番還元部２９に設定されている。
【００２８】
第１多孔板３３の第１多孔部３１は、目合いが１２ミリメートル程度に設定されたクリンプ網などによって形成され、第２多孔部３２は、角孔の一辺が２５ミリメートル程度に設定された打ち抜き鋼板などによって形成されている。
【００２９】
第１多孔板３３の下方には、第２多孔部３２から漏下した処理物を受け止めて揺動選別機構８と一体揺動する第１多孔板３３に摺接させる精選別用の第２多孔板３４が配備され、この第２多孔板３４は、目合いが１２ミリメートル程度に設定されたクリンプ網などによって形成され、受網６を支持する固定枠３５に支持されている。
【００３０】
つまり、受網６の前半部からの穀粒含有率の高い処理物が漏下供給され、かつ、２番還元機構１９からの２番物が処理物として還元供給される揺動選別機構８の揺動始端部における右半側箇所に、揺動選別機構８と一体揺動する第１多孔板３３と、脱穀装置側に固定支持される第２多孔板３４とが、相対変位可能に配備されている。
【００３１】
この構成から、揺動選別機構８が揺動駆動される作業時には、第１多孔板３３上に供給される処理物のうち、脱穀部２での脱穀処理や２番還元機構１９の単粒化処理部２８での単粒化処理によって既に枝梗などが取り除かれて単粒化している穀粒は、そのまま第１多孔部３１から漏下して第１グレンパン２０に供給され、枝梗などが付いたままの未単粒化穀粒などは、第１多孔部３１から漏下せずに第２多孔部３２から漏下し、第２多孔板３４で受け止められて第１多孔板３３と摺接し、その摺接によって枝梗などが取り除かれた後、第２多孔板３４から漏下して第１グレンパン２０やチャフシーブ２１に供給され、その後、揺動選別機構８による篩い選別や唐箕９及び各副唐箕１０，１１からの選別風による風力選別によって選別され、その選別によって得られた単粒化穀粒は、揺動選別機構８の選別始端側下方の１番回収部１５に１番物として供給され、未単粒化穀粒などは、揺動選別機構８の選別終端側下方の２番回収部１６に２番物として供給され、塵埃などは、揺動選別機構８の選別終端から３番物として機外に排出される。
【００３２】
つまり、揺動選別機構８の揺動駆動によって、脱穀部２や２番還元機構１９からの処理物に対して篩い選別を行うだけでなく、第２多孔板３４によって受け止められた未単粒化穀粒に対しては、第１多孔板３３との摺接による単粒化処理を施すことができ、これによって、選別部３で選別される処理物中の未単粒化穀粒の含有率を低く、逆に、単粒化穀粒の含有率を高くすることができ、しかも、脱穀処理や単粒化処理によって既に単粒化している穀粒を第１多孔部３１から第１グレンパン２０に漏下させることで、単粒化穀粒の漏下供給を促進させることができるとともに、単粒化穀粒に第１多孔板３３が摺接することに起因した穀粒の損傷を回避でき、その結果、品質の高い穀粒を精度良くかつ効率良く回収できる。
【００３３】
〔別実施形態〕
以下、本発明の別実施形態を列記する。
（１）第１多孔板３３及び第２多孔板３４を、揺動選別機構８における第１グレンパン２０の上方に、揺動選別機構８の左右の側壁にわたる状態で配備してもよい。
（２）第１多孔板３３及び第２多孔板３４を、揺動選別機構８における第２グレンパン２６の上方に配備してもよい。
（３）第１多孔板３３及び第２多孔板３４を樹脂網などで形成してもよい。
（４）第１多孔板３３及び第２多孔板３４における目合いや孔の設定は、穀粒の種類などに応じて種々の変更が可能である。
【図面の簡単な説明】
【図１】脱穀装置の縦断側面図
【図２】第１多孔板及び第２多孔板の配置及び構成を示す要部の縦断正面図
【図３】第１多孔板及び第２多孔板の配置及び構成を示す要部の縦断側面図
【図４】第１多孔板及び第２多孔板の配置及び構成を示す要部の斜視図
【符号の説明】
８    揺動選別機構
１９  ２番還元機構
２９  ２番還元部
３１  第１多孔部
３２  第２多孔部
３３  第１多孔板
３４  第２多孔板
【図１】
2005021036.tif 000003
【図２】
2005021036.tif 000004
【図３】
2005021036.tif 000005
【図４】
2005021036.tif 000006